(57)【要約】【課題】  コンテンツサーバにおいて各コンテンツに印刷可能期間を設定し、プリンタに配信された各コンテンツの印刷用蓄積ジョブの印刷可能期間を制御する場合に適用可能な、プリントシステム、制御方法、及びプログラムを提供することを目的とする。【解決手段】  コンテンツサーバに登録されている各々のコンテンツに対し、印刷可能期間を管理する手段と、プリンタ上で実行されるコンテンツサーバのクライアントアプリケーションにコンテンツを配信する手段と、前記配信されたコンテンツを印刷用蓄積ジョブとしてプリンタの記憶装置に保存する手段と、前記保存済みの印刷用蓄積ジョブの印刷可能期間をコンテンツサーバに問い合わせる手段と、前記印刷可能期間の問合せの結果に応じて、前記保存済みの印刷用蓄積ジョブの印刷可否を制御する手段と、を有することを特徴とするプリントシステム。【選択図】  図１
2008134934.tif 000002
【特許請求の範囲】
【請求項１】
コンテンツサーバに登録されている各々のコンテンツに対し、印刷可能期間を管理する手段と、
プリンタ上で実行されるコンテンツサーバのクライアントアプリケーションにコンテンツを配信する手段と、
前記配信されたコンテンツを印刷用蓄積ジョブとしてプリンタの記憶装置に保存する手段と、
前記保存済みの印刷用蓄積ジョブの印刷可能期間をコンテンツサーバに問い合わせる手段と、
前記印刷可能期間の問合せの結果に応じて、前記保存済みの印刷用蓄積ジョブの印刷可否を制御する手段と、
を有することを特徴とする
コンテンツサーバおよびプリンタ上で実行されるコンテンツサーバのクライアントアプリケーションから成るプリントシステム。
【請求項２】
請求項１の各コンテンツの印刷可能期間を、選択ページ結合出力時に結合元コンテンツから継承する手段を有することを特徴とするコンテンツサーバおよびプリンタ上で実行されるコンテンツサーバのクライアントアプリケーションから成るプリントシステム。
【請求項３】
請求項１の各コンテンツの印刷可能期間を、帳票出力時に元フォームおよび元データから継承する手段を有することを特徴とするコンテンツサーバおよびプリンタ上で実行されるコンテンツサーバのクライアントアプリケーションから成るプリントシステム。
【請求項４】
請求項１のコンテンツサーバ機能を、Ｗｅｂアプリケーションサーバ上で実行する手段を有することを特徴とするコンテンツサーバおよびプリンタ上で実行されるコンテンツサーバのクライアントアプリケーションから成るプリントシステム。
【請求項５】
請求項１のコンテンツサーバにおいて、コンテンツおよびコンテンツ管理情報をデータベースシステムおよびファイルシステムにより管理することを特徴とするコンテンツサーバおよびプリンタ上で実行されるコンテンツサーバのクライアントアプリケーションから成るプリントシステム。
【請求項６】
請求項１のコンテンツを配信する手段において、コンテンツサーバからコンテンツリストを配信して、コンテンツリストに記載のコンテンツをダウンロードする手段を有することを特徴とするコンテンツサーバおよびプリンタ上で実行されるコンテンツサーバのクライアントアプリケーションから成るプリントシステム。
【請求項７】
請求項６のコンテンツリストをＸＭＬ（Extensible Markup Language）で表現する手段を有することを特徴とするコンテンツサーバおよびプリンタ上で実行されるコンテンツサーバのクライアントアプリケーションから成るプリントシステム。
【発明の詳細な説明】
【技術分野】
【０００１】
本発明は、コンテンツサーバにおけるコンテンツの印刷可能期間情報の管理に関する。また、本発明はコンテンツをマルチファンクション機器（以下、ＭＦＰ）あるいは単機能プリンタ（以下、ＳＦＰ）に印刷用蓄積ジョブとして配信し、前記印刷可能期間情報の管理に関する。また、本発明は前記コンテンツサーバおよびＭＦＰあるいはＳＦＰで実行されるコンテンツサーバのクライアントアプリケーションから成るプリントシステム、制御方法、及びプログラムに関する。
【背景技術】
【０００２】
近年、ＭＦＰあるいはＳＦＰ（以下、総称してプリンタ）には、大容量の記憶装置（以下、ＨＤＤ）が組み込みとなってきている。これにより、ユーザーが印刷を所望する文書や帳票、画像など、各種ファイル（以下、総称してコンテンツ）を前記ＨＤＤに印刷用蓄積ジョブとして貯め置いておくことが可能となっている。
【０００３】
前記プリンタに組み込みのＨＤＤの用途としては、一般的に印刷ジョブの一時的な格納エリアとして使用するのが主である。その一時的な格納後に印刷要求者が貯め置いた印刷ジョブを出力しなかった場合を想定して、自動的に自動消去の期限を設定し、期限切れの印刷ジョブを削除する、といった機能が提供されている。
【０００４】
特開２００２−３７３０６６の文献によれば、クライアントＰＣで印刷ジョブを生成する際に、プリンタドライバを用いてページ記述言語（ＰＤＬ）にジョブ制御情報を付加し、ジョブの印刷期限をコントロールする先行技術が公開されている。クライアントＰＣから印刷装置に印刷予約をかけ、印刷期限が経過した後には印刷を禁止する、などのコントロールが可能となることを特徴としている。
【０００５】
また、プリンタには、Ｊａｖａ（登録商標）環境に代表されるようなアプリケーション実行環境が提供されるようになってきており、その環境上で動作するプログラムを開発すれば、プリンタの提供する機能を利用したアプリケーションが作成可能となっている。例えば、コンテンツサーバのクライアントとして動作するコンテンツ印刷用アプリケーションなどを顧客のニーズに応じて提供可能である。前記アプリケーション利用例として、コンテンツサーバから配信されたコンテンツをプリンタのＨＤＤに印刷用蓄積ジョブとして貯め置いておき、ユーザーが所望する時に、目的とするコンテンツを即時、最速で印刷できるプリントシステムを提供することができる。すなわち、プリンタのＨＤＤにおける大容量の記憶領域を活用して、印刷直前の展開済みデータを豊富に蓄積しておくことができ、任意のタイミングで即時に印刷開始可能とするオンデマンド・プリントのソリューションが実現可能となる。
【特許文献１】特開２００２−３７３０６６号公報
【発明の開示】
【発明が解決しようとする課題】
【０００６】
コンテンツサーバが管理する対象コンテンツとしては、様々な業務・業態に応じて、様々な内容が想定される。その中でも、例えば１ヶ月間有効なキャンペーンのチラシなど、ある期間に限って印刷が可能であると設定したいコンテンツが存在する。この該当コンテンツがプリンタのＨＤＤに印刷用蓄積ジョブとして貯め置かれた場合、この印刷用蓄積ジョブが指定された期間以外に印刷ができないよう制御する必要がある。しかし、前記のような印刷ジョブの自動消去の期限を設定するだけでは、各々のコンテンツごとに指定日時から指定日時までを印刷可能とする、などといったきめ細かい印刷可能期間の制御は困難である。
【０００７】
本発明では、コンテンツサーバにおいて各コンテンツに印刷可能期間を設定し、プリンタに配信された各コンテンツの印刷用蓄積ジョブの印刷可能期間を制御する場合に適用可能な、プリントシステム、制御方法、及びプログラムを提供することを目的とする。
【課題を解決するための手段】
【０００８】
上記目的を達成するために本発明のプリントシステムは以下のような構成を備える。
【０００９】
即ち、コンテンツサーバに登録されている各々のコンテンツに対し、印刷可能期間を管理する手段と、プリンタ上で実行されるコンテンツサーバのクライアントアプリケーションにコンテンツを配信する手段と、前記配信されたコンテンツを印刷用蓄積ジョブとしてプリンタの記憶装置に保存する手段と、前記保存済みの印刷用蓄積ジョブの印刷可能期間をコンテンツサーバに問い合わせる手段と、前記印刷可能期間の問合せの結果に応じて、前記保存済みの印刷用蓄積ジョブの印刷可否を制御する手段と、を有することを特徴とするコンテンツサーバおよびプリンタ上で実行されるコンテンツサーバのクライアントアプリケーションから成るプリントシステム。
【発明の効果】
【００１０】
以上説明したように、本発明の実施例では、コンテンツサーバおよびプリンタ上で実行可能なコンテンツサーバのクライアントアプリケーションが連携することにより、プリンタに配信した印刷用蓄積ジョブの印刷可能期間の管理・制御を可能とすることができる。これにより、ユーザーが所望の時に即時・最速で印刷できるというオンデマンド・プリントのメリットを損なうことなく、各コンテンツごとにきめ細かく印刷可能期間の制御を行うことができる。
【発明を実施するための最良の形態】
【００１１】
以下、添付図面を参照して本発明の好適な実施例を詳細に説明する。
図１において、１００はマルチファンクション機器（以下、ＭＦＰ）である。１０１は単機能プリンタ（以下、ＳＦＰ）である。１０２は機器間の通信を仲介するネットワークである。１０３はコンテンツサーバなどとして利用されるサーバコンピュータである。１０４はクライアントなどとして利用されるパーソナルコンピュータ（以下、ＰＣ）である。１０５はイントラネット／インターネットなどに接続する場合に利用されるゲートウェイ装置である。なお、ここで記述した各機器がネットワークのどのセグメントに配置されているかは限定しない。任意の配置形態であっても、機器間の通信が可能であれば本システムは実施可能である。
【００１２】
図２は、図１のＭＦＰ１００の詳細図である。２００が原稿自動送り部（以下、フィーダ）である。２０１が原稿のスキャナ部である。２０２がユーザーインタフェース（ＵＩ）部である。２０３が給紙部である。２０４が定着部である。２０５が排紙部である。２０６がフィニッシング装置である。２０７が排紙トレイである。また、ＳＦＰ１０１は図示を省略するが、例えばフィーダ２００、スキャナ部２０１などが装備されていない単機能プリンタである。
【００１３】
図３は、ＭＦＰ１００、ＳＦＰ１０１、サーバコンピュータ１０３、ＰＣ１０４の情報処理機能の論理構成を示している。３００が操作者に対しユーザインタフェースを提供するユーザインタフェース部である。３０１がネットワークを介して外部機器と通信を行うネットワークインタフェース部である。３０２が制御プログラムを実行するＣＰＵ、３０３が組込済みプログラムおよびデータが記録されているＲＯＭである。３０４が一時メモリ領域であるＲＡＭである。３０５が大容量記憶領域のＨＤＤである。各部は入出力インタフェース３０６を介して接続されている。
【００１４】
図４は、ＭＦＰ１００およびＳＦＰ１０１においてアプリケーションプログラムを実行可能なソフトウェア構成を示している。４０１はＭＦＰおよびＳＦＰを制御する実行環境の一例である。一般的にはＭＦＰおよびＳＦＰの各種機能をリアルタイムに制御可能なリアルタイムＯＳの各モジュール、或いは、ライブラリ群である。前記ライブラリ群により、ＣＰＵに命令してクリティカルにＭＦＰおよびＳＦＰのオプション装置、拡張カードを含む各機能を制御することが可能である。そして、その上位で動作するアプリケーションに対して、インターフェース・コマンドを提供するモジュール群により実現されるものである。４０２は実行環境４０１上で動作するコントローラ制御部である。コントローラ制御部４０２は、ＭＦＰのスキャニング部、ＭＦＰおよびＳＦＰのプリンタ部、ＰＤＬ処理部などのＭＦＰ各部を制御するモジュールにより構成されるものである。４０３は特定のアプリケーションを実行するために最適な実行環境であり、例えば、Ｊａｖａ（登録商標）の仮想マシンなどにより実現されるものである。４０４は実行環境４０３が使用する資源を管理するリソース管理部であり、ＯＳ４０１上で動作する。リソース管理部４０４は、実行環境である仮想マシン４０３自身、後述のフレームワーク４０５、或いはＯＳ４０１上の全アプリケーションプログラムがメモリ等のリソース資源を使用する際、予め定められた以上の資源が使用できないように管理するものである。
【００１５】
４０５は仮想マシン４０３上で実行されるアプリケーションのためのフレームワークであり、４０６はフレームワーク４０５が提供するアプリケーション・プログラミング・インターフェース（以下、ＡＰＩ）である。４０７、４０８、４０９はフレームワーク４０５上で実行されるアプリケーションである。あらかじめ共通で必要なサービスや、よく利用される機能モジュール、コントローラ制御部４０２にアクセスしてＭＦＰの各機能を制御するために必要なライブラリ群などを、フレームワーク４０５にあらかじめ用意しておく。これにより、４０６のＡＰＩを利用して、４０７などのアプリケーションを効率よく開発、実行することが可能である。
【００１６】
図５は、４０７などのアプリケーションのＵＩ部２０２での表現例である。５００がＵＩ部の画面として使用される領域の全体である。５０１、５０２、５０３がそれぞれ個々のアプリケーション「コンテンツプリント」「スキャン文書登録」「文書サーバ接続」などを切り替えるボタンコントロールである。５０４が全てのアプリケーションが１画面内に表示しきれない場合にスクロール可能とするボタンコントロールである。５０５がアプリケーションが使用可能なパネルコントロールの領域である。５０６、５０７、５０８、５０９、５１０などは、アプリケーションで使用可能な各種コントロールの例、５１１は目的の印刷を開始する指令を与えるボタンコントロールの例などである。ここで例示したアプリケーションは、アプレットなどに代表されるＵＩを伴う形態である。しかしながら、フレームワーク４０５で実行可能なアプリケーションとしてはこれに限られるものではない。サーブレットのようにＷｅｂインタフェースを提供可能な形態、サービスなどのようにバックグラウンドで処理を継続する形態など、様々なアプリケーション実行形態が存在し得る。
【００１７】
図６はコンテンツサーバ１０３の一構成例を示している。この構成例では、コンテンツサーバの機能がＷｅｂアプリケーションサーバ６０４にホストされている。６０５は、コンテンツサーバが提供する機能単位のモジュールである。機能モジュール例としては、データ登録、データメンテナンス、データ検索、サムネイル生成、選択ページ結合出力、帳票出力、データダウンロードなどが挙げられる。６０６は登録済みのデータを効率よく検索する検索エンジンである。６０７はデータベースに必要な情報を書き込み、読み込み、更新、削除などを行うデータベースアクセス部である。６０８はファイル操作や他プログラムの実行、呼び出しなどの用途に用いられるユーティリティ部などである。Ｗｅｂアプリケーションサーバ６０４は、データベースシステム６０９と接続可能で、コンテンツサーバとして管理する各種データをデータベースに格納できる。また、同様にファイルシステム６１０を利用して、各種コンテンツのファイル実体の操作、保管、編集などが可能である。この構成例では、Ｗｅｂシステムとして構成されており、クライアントＰＣ１０４がブラウザ６０１などを利用して、ネットワーク１０２を介して、Ｗｅｂアプリケーションサーバ６０４にアクセスし、コンテンツサーバの各種機能を利用可能である。クライアントＰＣ１０４には、利用する機能に応じて、プラグイン６０２などを配置することも可能である。また、一般的にはＷｅｂリクエストの振り分けなど、用途に応じて、ＨＴＴＰサーバ６０３を配置することも可能である。
【００１８】
図７にコンテンツサーバがコンテンツを管理するために利用するテーブルの一例を示す。７００が各コンテンツの印刷可能期間情報を管理するテーブルである。７０１は一意にコンテンツを特定するためのキー項目となる文書ＩＤである。７０２はそのコンテンツの名称を格納する文書名である。７０３および７０４は、そのコンテンツの印刷可能期間の開始日と終了日である。また、文書ＩＤ７０１を共通のキー項目として、関連テーブル７１０がある。７１１にそのコンテンツの実体を示す情報が保存されている。この例では、コンテンツがファイルとして存在し、そのファイルパスが保存されている。ここで説明したのはコンテンツ管理の一般的手法であり、本システムの適用はこの例に限られるものではない。
【００１９】
図８に本システムにおける動作シーケンスを説明する図を示す。本プリントシステムは、コンテンツサーバ１０３、クライアントＰＣ１０４、またプリンタ上で実行されるアプリケーションＡ４０７から構成される。クライアントＰＣ１０４により、コンテンツリストの作成および各コンテンツに対し印刷可能期間の設定を行う（Ｓ８０１）。コンテンツリストとは、文書ＩＤ７０１の任意のレコードの集合である。前記コンテンツリストはコンテンツサーバ１０３とアプリケーションＡ４０７との間で送受信するために、例えばＸＭＬ（Extensible Markup Language）形式で表現することが可能である。また、コンテンツごとに印刷可能期間を設定可能であり、すなわち、Ｓ８０１のステップ実行後、図７のテーブル７００に必要な情報が格納される。次にコンテンツサーバ１０３は前記作成したコンテンツリストをアプリケーションＡ４０７に配信する（Ｓ８０２）。コンテンツリストを受信したアプリケーションＡ４０７は、コンテンツリストの展開処理を行い（Ｓ８０３）、コンテンツリストに記載されている各コンテンツをダウンロードする（Ｓ８０４）。コンテンツのダウンロードが完了すると、アプリケーションＡ４０７は該当コンテンツファイルから印刷用蓄積ジョブの生成を行う（Ｓ８０５）。コンテンツは、様々なファイル形式をとることが考えられるが、その一例として、ＰＤＦ（Ｐｏｒｔａｂｌｅ  Ｄｏｃｕｍｅｎｔ  Ｆｏｒｍａｔ）を挙げる。ＰＤＦは、Ｗｅｂ用コンテンツとしてダウンロード・閲覧できるとともに、プリンタの印刷用途にもＰＤＬの一種として利用可能であり、配布・再利用に適したファイル形式である。アプリケーションＡ４０７はコンテンツリストに記載の全てのコンテンツの処理を終えたら、コンテンツサーバ１０３にコンテンツリストの処理完了通知を送信する（Ｓ８０６）。
【００２０】
アプリケーションＡ４０７は図５に示すようなＵＩ部５００を利用することができ、そこからユーザーの印刷要求を受け付けることが可能である。コントロール５０６、５０７でユーザーが所望する文書を選択すると、コントロール５０８に対象文書の印刷プレビューが表示され、コントロール５０９、５１０などで、印刷時のカラー種別や印刷部数などを指定することが可能である。コントロール５１１で、対象文書の印刷開始を指示する事が可能である。アプリケーションＡ４０７は、前述のようなユーザーからの印刷用蓄積ジョブの印刷開始要求を受け付けると（Ｓ８０７）、該当の印刷用蓄積ジョブの元の文書ＩＤに基づき、コンテンツサーバ１０３に印刷可能期間のチェックを問い合わせる（Ｓ８０８）。コンテンツサーバ１０３は、テーブル７００を検索し、現在の日時が印刷可能開始日７０３から印刷可能終了日７０４の期間内であるかどうかを判定し、期間内であれば印刷可、期間外であれば印刷不可を結果として返す（Ｓ８０９）。アプリケーションＡ４０７は、前記返信された結果を判定し（Ｓ８１０）、印刷可能である場合は印刷用蓄積ジョブの印刷を開始する（Ｓ８１１）。印刷不可である場合はユーザーに印刷可能期間外であることを通知するなどして、印刷を実行しない（Ｓ８１２）。
【００２１】
次に図９および図１０において、コンテンツサーバ特有の機能である選択ページ結合出力時に、自動的に印刷可能期間を設定する手法を説明する。９０１、９０５はあるコンテンツのファイルであるとし、マルチページの内容を含むことができるものとする。９０２、９０３、９０４はそれぞれファイルＡ９０１の各ページであり、９０６、９０７はそれぞれファイルＢ９０５の各ページであるとする。選択ページ結合出力においては、各々のファイルの任意のページを抽出して、１つのファイルに結合することができる。この例では、９０２、９０４、９０７の各ページが抽出、結合されて、結合後ファイル９０８が出力される。テーブル１０００は、結合前の各コンテンツの印刷可能期限情報を保持している。コンテンツサーバ１０３は、結合時に結合対象の各コンテンツの中から、最も遅い印刷可能開始日１００３と最も早い印刷可能終了日１００４を自動的に選択する。前記選択された印刷可能開始日および印刷可能終了日を、テーブル７００に、結合後のコンテンツ印刷可能開始日７０３および印刷可能終了日７０４としてセットする。これにより、結合後のコンテンツにおいても、複数の元コンテンツの各々の印刷可能期間を継承することが可能である。
【００２２】
次に図１１および図１２において、コンテンツサーバ特有の機能である帳票出力時に、自動的に印刷可能期間を設定する手法を説明する。帳票のデザインおよび差込データのフィールド指定などの帳票設計情報が記録されているのがフォーム１１０１である。静的な文字列や画像などを１１０２のようにデザインしておくことができる。また、動的なフィールドとして、１１０３、１１０４、１１０５などを用意しておくことができ、可変な文字列や画像などのデータを差し込むことができる。この例では、データ項目１１１０の各項目が、１１０３〜１１０５の動的フィールドに対応しており、値１１１１をそれぞれデータ差込を行うと、出力帳票１１２０が得られる。差込の対象データとしては、テーブル１２１０に示すように、複数データを選択して、複数データのデータ差込後の出力帳票を得ることができる。この場合、テーブル１２００でフォームの印刷可能期間情報が管理されており、テーブル１２１０で各差込データの印刷可能期間情報が管理されている。コンテンツサーバ１０３は、データ差込後の帳票出力時に、データ差込対象のフォームおよび各差込データの中から、最も遅い印刷可能開始日と最も早い印刷可能終了日を自動的に選択する。前記選択された印刷可能開始日および印刷可能終了日を、帳票出力後のコンテンツ印刷可能開始日７０３および印刷可能終了日７０４としてセットする。これにより、帳票出力後のコンテンツにおいても、複数の元フォーム、元データの各々の印刷可能期間を継承することが可能である。
【図面の簡単な説明】
【００２３】
【図１】本発明の実施例におけるシステム構成を示す概略図である。
【図２】マルチファンクション機器の詳細図である。
【図３】マルチファンクション機器、単機能プリンタ、サーバコンピュータ、パーソナルコンピュータの情報処理機能の論理構成を説明する図である。
【図４】マルチファンクション機器、単機能プリンタのソフトウェア構成図である。
【図５】マルチファンクション機器、単機能プリンタ上で動作するアプリケーション例を示す図である。
【図６】コンテンツサーバの構成図である。
【図７】コンテンツ管理情報のテーブルを示す図である。
【図８】処理シーケンスを示す図である。
【図９】選択ページ結合出力処理を示す図である。
【図１０】選択ページ結合出力処理時のコンテンツ管理情報のテーブルを示す図である。
【図１１】帳票出力処理を示す図である。
【図１２】帳票出力処理時のコンテンツ管理情報のテーブルを示す図である。
【符号の説明】
【００２４】
１００  マルチファンクション機器
１０１  単機能プリンタ
１０２  ネットワーク
１０３  サーバコンピュータ
１０４  パーソナルコンピュータ
１０５  ゲートウェイ装置
２００  原稿自動送り部
２０１  スキャニング部
２０２  ＵＩ部
２０３  給紙部
２０４  定着部
２０５  排紙部
２０６  フィニッシング装置
２０７  排紙トレイ
３００  ユーザインタフェース部
３０１  ネットワークインタフェース部
３０２  ＣＰＵ
３０３  ＲＯＭ
３０４  ＲＡＭ
３０５  ＨＤＤ
３０６  入出力インタフェース
４０１  ＯＳ
４０２  コントローラ制御部
４０３  仮想マシン
４０４  リソース管理部
４０５  フレームワーク
４０６  ＡＰＩ
４０７、４０８、４０９  アプリケーション
５００  ＵＩ部の画面領域
５０１、５０２、５０３  アプリケーション切り替えボタンコントロール
５０４  スクロール用ボタンコントロール
５０５  パネルコントロール領域
５０６、５０７、５０８、５０９、５１０  各種コントロールの例
５１１  ボタンコントロールの例
６０１  ブラウザ
６０２  プラグイン
６０３  ＨＴＴＰサーバ
６０４  Ｗｅｂアプリケーションサーバ
６０５  機能モジュール
６０６  検索エンジン
６０７  データベースアクセス部
６０８  ユーティリティ部
６０９  データベースシステム
６１０  ファイルシステム
７００  コンテンツ管理情報テーブル
７０１、７０２、７０３、７０４  各データ項目
７１０  コンテンツ管理情報テーブル
７１１  各データ項目
９０１  結合元ファイルＡ
９０１、９０２、９０３、９０４  ファイルＡ各ページ
９０５  結合元ファイルＢ
９０６、９０７  ファイルＢ各ページ
９０８  結合後ファイル
１０００  コンテンツ管理情報テーブル
１００１、１００２、１００３、１００４  各データ項目
１１０１  フォーム
１１０２  静的フィールド
１１０３、１１０４、１１０５  動的フィールド
１１１０  差込データ項目
１１１１  差込データ値
１１２０  出力帳票
１２００  コンテンツ管理情報テーブル
１２０１、１２０２、１２０３、１２０４  各データ項目
１２１０  コンテンツ管理情報テーブル
１２１１、１２１２、１２１３、１２１４  各データ項目
【図１】
2008134934.tif 000003
【図２】
2008134934.tif 000004
【図３】
2008134934.tif 000005
【図４】
2008134934.tif 000006
【図５】
2008134934.tif 000007
【図６】
2008134934.tif 000008
【図７】
2008134934.tif 000009
【図８】
2008134934.tif 000010
【図９】
2008134934.tif 000011
【図１０】
2008134934.tif 000012
【図１１】
2008134934.tif 000013
【図１２】
2008134934.tif 000014